(57)【要約】【課題】フィルタ内の気泡を確実に除去できるインクジェット記録ヘッド及び気泡の除去方法を提供する。【解決手段】インクを吐出するための複数のノズルと吐出エネルギを発生する吐出エネルギ発生手段とを複数配列したオリフィスプレート１０１と、インクを収納するチップタンク１０７とを有する。チップタンク１０７とオリフィスプレート１０１との連通部分にフィルタ１０５が設けられている。フィルタ１０５は、少なくとも吐出特性を回復するための回復動作時に、重力方向に対して最も高くなる部位である上端部１０５ａを１箇所有する。【選択図】図３
2009051046.tif 000002
【特許請求の範囲】
【請求項１】
インクを吐出するための複数のノズルと吐出エネルギを発生する吐出エネルギ発生手段とを複数配列したオリフィスプレートと、インクを収納するインクタンクとを有し、前記インクタンクと前記オリフィスプレートとの連通部分にフィルタが設けられているインクジェット記録ヘッドにおいて、
前記フィルタは、少なくとも吐出特性を回復するための回復動作時に、重力方向に対して最も高くなる部位を１箇所有するように配置されることを特徴とするインクジェット記録ヘッド。
【請求項２】
前記フィルタは、重力方向に対して傾斜して設けられている、請求項１に記載のインクジェット記録ヘッド。
【請求項３】
前記フィルタは、リフィル用フィルタと気泡除去フィルタとを有し、前記リフィル用フィルタは、重力方向と平行に設けられ、前記気泡除去フィルタは、前記リフィル用フィルタよりも重力方向において上方、かつ重力方向と交差する方向に設けられている、請求項１に記載のインクジェット記録ヘッド。
【請求項４】
前記フィルタは、記録動作時にも、前記部位を有するように配置される、請求項１ないし３のいずれか１項に記載のインクジェット記録ヘッド。
【請求項５】
前記回復動作時に、前記インクジェット記録ヘッド自体が重力方向に対して傾斜させられる、請求項１に記載のインクジェット記録ヘッド。
【請求項６】
複数の前記フィルタが、複数の前記オリフィスプレートに対してそれぞれ個別に設けられている、請求項１ないし５のいずれか１項に記載のインクジェット記録ヘッド。
【請求項７】
複数の前記オリフィスプレートに対して１つの前記フィルタが設けられている、請求項１ないし５のいずれか１項に記載のインクジェット記録ヘッド。
【請求項８】
前記部位に対応する位置に気泡を吸引する吸引手段が密着して設けられている、請求項１ないし７のいずれか１項に記載のインクジェット記録ヘッド。
【請求項９】
インクを吐出するための複数のノズルと吐出エネルギを発生する吐出エネルギ発生手段とを複数配列したオリフィスプレートと、インクを収納するインクタンクとを有し、前記インクタンクと前記オリフィスプレートとの連通部分にフィルタが設けられているインクジェット記録ヘッドを用いた気泡除去方法において、
吐出特性を回復するための回復動作時に、前記インクジェット記録ヘッド自体を重力方向に対して傾斜させ、前記フィルタに重力方向に対して最も高くなる部位から気泡を吸引することを特徴とする気泡除去方法。
【発明の詳細な説明】
【技術分野】
【０００１】
本発明は、インク等の液体を吐出して記録動作を行うインクジェット記録装置に用いられるインクジェット記録ヘッド及び気泡除去方法に関する。
【背景技術】
【０００２】
従来のフルライン型のインクジェット記録ヘッドの一例の構造を図７に示す。
【０００３】
インクジェット記録ヘッドは、タンク部６０７と、オリフィスプレート６０１と、支持基盤６０２と、フィルタ６０５ならびフィルタプレート６０４とを有する。タンク部６０７には所定のインクが貯蔵されている。オリフィスプレート６０１は、タンク内インク６０６とタンク部６０７からのインクを吐出する複数のインク吐出口６０４ａｉ、６０４ｂｉを有する。支持基盤６０２は、オリフィスプレート６０１を支持している。
【０００４】
オリフィスプレート６０１は接合された該インク吐出口６０４ａｉ、６０４ｂｉに対向した吐出エネルギ発生手段としてのヒータ６１３ａｉおよび６１３ｂｉ（ｉ＝１〜Ｎ、Ｎは整数）を有している。
【０００５】
このようなインクジェット記録ヘッドは、例えば、その内部圧力が所定の負圧となるように、そのインクタンク３０１にインクを供給するインク供給部に対し所定の高低差をもって接続されている。
【０００６】
インクジェット記録装置は、インクを吐出する吐出口（以下ノズルとも言う）を複数有する記録ヘッド（以下、インクジェット記録ヘッド）部を備えており、この吐出口が目詰まり等を生じると正常な記録はできない。
【０００７】
吐出口部において目詰まり等により吐出不良を起こす原因としては以下のものが挙げられる。
【０００８】
例えば、インク保持部材として用いられる多孔質部材の微細な小片やインクを収納するインクタンクを交換する場合にインク供給路に混入する微細な粉塵などのインク供給系から侵入する不純物に起因する場合がある。
【０００９】
また、記録媒体等から発生する粉塵が直接吐出後部に付着する場合などがあげられる。
【００１０】
ヘッド内部には各々のオリフィスプレートに対応した位置にゴミを除去するためのフィルタを通過するインクは、例えば１０μｍφよりも大きなごみなどを通過させないフィルタによって濾過される。このフィルタによりインク中のごみは、フィルタ内部には侵入しない。
【００１１】
従って、インク収納部から吐出口へ至る経路中にインク中のゴミを取り除く手段を設けることは、インクジェット記録装置において必須の構成となる。この方法として最も一般的なのは、インク供給路中にフィルタを配して、インクを濾過する方法である。
【００１２】
そのため、図７に示しているように、フィルタ６０５ならびフィルタプレート６０４はインク６０６を貯蔵する貯蔵部とオリフィスプレート６０１が連通している共通液室６０９内のインクを分離している。これにより、タンク部６０７内のインク６０６は、必ずフィルタを経由して共通液室６０９内のインクを分離している。これにより、タンク部６０７内の６０６は、必ずフィルタを経由して共通液室６０９に供給される構成となっている。
【００１３】
共通液室６０９に供給されたインクは、共通液室６０９からオリフィスプレート６０１内部へと供給される。一方、上述したフィルタを用いる構成とした場合、インク供給路中にインク中の溶存空気がヘッド温度上昇などの環境変化等により発生した気泡が、フィルタ部に集まる。フィルタ部に気泡が集まった時に、記録中にその状態を放置しておくと、ヘッド温度の上昇に伴う気泡膨張による記録の劣化等が懸念される。
【００１４】
以上より、フィルタ内部に残留する気泡に起因する記録品位の低下が課題となっている。また、長時間使用しなかった場合等に吐出口近傍のインク溶媒が蒸発してインクの粘度が上昇し、通常の吐出圧力では吐出できなくなる場合や、外部からの不純物の付着等による吐出口部の目詰まりも記録品位の低下に原因となる。
【００１５】
これらの課題を解消するため、従来、インクを吐出する吐出口からインクを吸引し、気泡を記録ヘッド内部から外部へ吸い出す回復処理が用いられている。
【００１６】
従来のシリアルタイププリンタにおいては、不純物による吐出口部の目詰まりや、共通液室内等に微細気泡が存在した場合には、吐出口からインクを吸引する回復処理が行われていた。このような記録ヘッド内部から外部へ吸い出す回復処理を行うことで、目詰まりを解消するとともに微細気泡を除去し、吐出精度への影響を防止していた。
【００１７】
一般にインクジェット記録ヘッドを有しているキャリッジが駆動モータにより移動することで記録を行うシリアル系のインクジェット記録ヘッドにおける回復動作としては、以下の二つの方法が挙げられる。第一の方法は、外側から吸引キャップをオリフィスプレートに密着させて外部から吸引ポンプなどにより気泡を除去する方法である。第二の方法は、記録ヘッドのインクを供給する管に接続されているチューブポンプを回転させることで内部から加圧して回復する方法である。
【００１８】
同様にフルライン型のインクジェットプリンタに関してもこれら二つの方法が回復処理のため用いられる。
【００１９】
まず、フルラインプリンタにおいて、外側から吸引キャップをオリフィスプレートに密着させて、外部から吸引回復する方法について特許文献１に開示されている。このような吸引回復方法の一例について図８を用いて説明する。まず、長尺のインクジェット記録ヘッド７１０のオリフィスプレート７０１に対して下部から吸引キャップ７２０を密着させる。その後、チューブポンプ７３０を回転させることで、共通液室７０９およびフィルタプレート７０４内部に存在している気泡Ｂが除去される。
【００２０】
続いて、フルラインプリンタにおける加圧回復動作に関して図９を用いて説明する。
【００２１】
チューブ８３１は、開閉バルブを介して記録ヘッド８１０の他端部であるインク除去管８０８に接続されて記録ヘッド８１０の共通液室に通じている。インク初期充填時もしくは記録媒体への記録動作において発生する気泡を除去するため、ヘッド回復動作は、ポンプ８３０により、インクタンクと記録ヘッド８１０の間でインクを循環させながら、所定時間、開閉バルブを閉じることによって行われる。
【００２２】
このように操作することで記録ヘッド８１０内の圧力が瞬時に高くなり、インク吐出口列からインクが排出される。また、これと同時に、図９に示している共通液室８０９およびフィルタプレート８０４内部に存在している気泡とオリフィスプレート８０１内に残留している気泡Ｂはインクの流れに沿って、インクの流れと共にオリフィスプレート８０１から排出される。
【特許文献１】特開２００１−１６２８３８号公報
【発明の開示】
【発明が解決しようとする課題】
【００２３】
しかし、長尺のインクジェット記録ヘッドにおいて、このように外部から吸引回復を行う方法は、吸引回復キャップをオリフィスプレートの個数分用意する必要がある。あるいは、吸引回復キャップ１２０を長尺のインクジェット記録ヘッドの長手方向に対して、モータなどの駆動源により移動させることで、各々のオリフィスプレート１０１に対して一つずつ吸引回復を行う必要がある。もしくは、一つの大きいキャップを用意し、ヘッド全体を吸引回復する必要がある。
【００２４】
しかし、そのようなヘッド下からの吸引回復動作は、長尺インクジェットプリンタにおいては、キャップ領域増大によるキャップの密着性、ノズル全域での均一な吸引回復性などの点で困難である。また、キャッピングの密着をあげようとするとキャッピング圧が大きくなり、ヘッドへの負荷が増大することになる。このことは、ヘッド構造上の負担が多くなり、コスト・信頼性等に対して不利である。
【００２５】
また、図９に示すように、フルライン型のインクジェット記録ヘッドにおいては、インク加圧管８０８およびインク除去管８１０が端部に配置されている。このため、インク加圧管８０８より加圧する加圧回復方式では、インク除去管８１０に近い所に位置しているフィルタ面に加わる圧力は、インク加圧管８０８に近い所に位置しているフィルタ面に加わる値よりも小さくなる。
【００２６】
よって、このような長尺ヘッドにおける構成において、加圧回復を行うと、気泡Ｂ1の泡抜け性は、気泡Ｂの泡抜け性よりも低下する。ここで、気泡Ｂ1は、インク除去管８１０の近傍に位置している共通液室８０９およびフィルタプレート８０４内部に存在している気泡である。また、気泡Ｂは、インク加圧管８０８の近傍に位置している共通液室８０９およびフィルタプレート８０４内部に存在している気泡である。
【００２７】
さらに、記録媒体もの記録幅を有している長尺プリンタにおいては、フィルタ内部気泡を抜くために十分な圧力をかけることは非常に困難であるため、このような加圧回復動作では回復後にフィルタ内部に気泡が除去できずに残留してしまう可能性が大きい。
【００２８】
そのため、フィルタプレート内部においては、気泡を除去しづらく、気泡が残留したまま記録動作に移行せざるを得なくなる。フィルタプレート内部気泡残留が多くなると、オリフィスプレートの昇温、インク循環時における冷却効率の低下、昇温時の気泡膨張による記録への影響などが懸念される。
【００２９】
そこで、本発明は、フィルタ内の気泡を確実に除去できるインクジェット記録ヘッド及び気泡の除去方法を提供することを目的とする。
【課題を解決するための手段】
【００３０】
上記目的を達成するため、本発明のインクジェット記録ヘッドは、インクを吐出するための複数のノズルと吐出エネルギを発生する吐出エネルギ発生手段とを複数配列したオリフィスプレートと、インクを収納するインクタンクとを有する。また、インクジェット記録ヘッドにはインクタンクとオリフィスプレートとの連通部分にフィルタが設けられている。フィルタは、少なくとも吐出特性を回復するための回復動作時に、重力方向に対して最も高くなる部位を１箇所有する。
【発明の効果】
【００３１】
本発明によれば、フィルタ内の気泡を確実に除去することが可能となる。
【発明を実施するための最良の形態】
【００３２】
以下、本発明の実施例について図面を参照して説明する。
【００３３】
まず、本発明を適用可能なフルラインタイプのプリンタの概略について図１を用いて説明する。
【００３４】
図１において、１０Ｂｋ、１０Ｙ、１０Ｍ，１０Ｃはそれぞれブラック、イエロー、マゼンタ、シアンのインク色に対応した記録ヘッドであり、ブロック４２に固定されている。各記録ヘッドは吐出エネルギ発生手段として電気熱変換素子を有し、その通電時にインク中に生じる気泡を圧力源として吐出口からインク液滴を吐出させる。
【００３５】
また、ブロック４２には吐出、不吐出の吐出口番号を検出するための読み取りヘッド４１が設けられている。
【００３６】
キャッピングユニット４３は、スタンバイ時等、非記録時にブロック４２を所定の位置まで引き上げることにより、キャッピングユニット４３をインクジェット記録ヘッド１０Ｂｋ〜１０Ｃに対向させてキャップする。また、キャッピングユニット４３は、循環回復時には（図示しない）回復ポンプ、インク供給系より送り込まれ、吐出口から押し出された廃インクの受け皿となり、廃インクは図示しない廃インクタンクに導かれる。
【００３７】
エンドレスの帯電吸着ベルト４４は、記録ヘッド１０Ｂｋ，１０Ｙ、１０Ｍ，１０Ｃの各々に所定感覚を介して対向配設される記録シートを搬送するためのものである。バックプラテン４５は帯電吸着ベルト４４を介して各記録ヘッドに対向配設されている。
【００３８】
給紙カセット４６は、普通紙などを記録シート４７が収納され装着本体に着脱自在に装着される。ピックアップローラ４８は、最上面の記録シート４７を１枚だけ送り出して給送する。
【００３９】
搬送ローラ４９及び搬送ローラ５１は記録シート４７を搬送するためのローラである。搬送ローラ４９は搬送路５０の入口側に配設され、搬送路５０の出口側に配設されている。記録シート４７はピックアップローラ４８より送り出され、搬送ローラ４９によって搬送路５０へと搬送される。
【００４０】
ヒータ５３およびファン５４は記録シート４７に記録によって付着したインク液滴を熱風により乾燥定着させるためのものである。排出ローラ５５は定着の終了した記録シート４７を装置外に排出するためのローラであり、排出された記録シート４７はトレイ５６内に順次ストックされる。
【００４１】
次に以上の構成による装置の動作について説明する。
【００４２】
まず、記録動作について説明する。記録開始の捜査が行われると、指定されたサイズの記録シート４７がピックアップローラ４８によって給紙カセット４６から送り出される。送り出された記録シート４７は、搬送ローラ４９および５１によって、予め帯電された状態で回転すると共にバックプラテン４５によって平面形状とされている帯電吸着ベルト４４に乗せられる。記録シート４７の先端部がヘッド１０Ｃ、１０Ｍ、１０Ｙ、１０Ｂｋの各々の下部に到着するのに連動して、各記録ヘッドの電気熱変換素子が画像データに応じて駆動される。この駆動により、画像情報に応じたインク液滴が出口から記録シート４７の表面に向けて飛翔し、その着弾により記録が行われる。
【００４３】
記録シート４７の吸湿性の低い場合、表面に付着した液滴が乾燥せず、擦られて記録汚れを生じるので、ヒータ５３およびファン５４によって強制乾燥を行って定着させる。定着の終了した記録シート４７は、排出ローラ５５によってトレイ５６へ排出される。
【００４４】
以上のように、それぞれシアン、マゼンタ、イエロー、ブラックのインクに対応した記録ヘッドにそれぞれのヘッドに応じた記録信号を与えることによりカラー画像が形成される。
【００４５】
図２は、ごみ除却装置を備えたインクジェット記録装置のインク供給系を示す模式図である。
【００４６】
インクジェット記録装置の供給系は、図２に示すように、インク３００を収納したインクタンク３０１を備えており、インクタンク３０１内には、２本のチューブ１３１、１３２が配設されている。このうち一方のチューブ１３１は、ポンプ１３０を介してインクジェット記録ヘッド１０の一端部であるインク加圧管１０８に接続されて、インクジェット記録ヘッド１０の共通液室（太い破線）内に通じている。また、他方のチューブ１３２は、開閉バルブ１１２を介してインクジェット記録ヘッド１０の他端部であるインク除去管１１０に接続されてインクジェット記録ヘッド１０の共通液室に通じている。
【００４７】
記録時にインクタンクからチューブ１３２を介して記録ヘッドにインクを供給する場合には、開閉バルブ１１２を開放し、インクジェット記録ヘッド１０、チューブ１３２のインクに対する毛管力等によって、インク除去管１１０よりインクの供給が行われる。
記録ヘッド１４は複数個のインク吐出口列を有しており、記録時には記録ヘッド駆動回路（図示せず）によりインク液滴を吐出する。
（第１実施例）
次に、上記インクジェット記録装置に用いられる本発明に関わる第１の実施例としてのインクジェット記録ヘッドの断面概略図を図３に示す。
【００４８】
本発明のインクジェット記録ヘッド１０は、インクを収納するインクタンクであるチップタンク１０７を有し、チップタンク１０７の内部にはインク１０６が満たされている。また、インクジェット記録ヘッド１０は、オリフィスプレート１０１をノズル配列方向に複数個有している支持基板１０２を有する。オリフィスプレート１０１は、インクを吐出するための複数のノズルと、吐出エネルギを発生する吐出エネルギ発生手段とが複数配列されている。また、支持基板１０２においては、オリフィスプレート１０１に対してインクが流入するための共通液室１０９が設けられている。
【００４９】
さらに、共通液室１０９を通じてオリフィスプレート１０１と反対側の支持基板面１０２１には、各々の共通液室１０９に対向するようにフィルタプレート１０４が配置されている。フィルタプレート１０４上には傾斜した状態でフィルタ１０５が配置されている。すなわち、フィルタ１０５は、重力に反して浮上する気泡を所定の箇所に集合させるため、重力方向（図中下向き）に対して傾斜させている。
フィルタ１０５は、チップタンク１０７とオリフィスプレート１０１との連通部分に設けられており、チップタンク１０７内のゴミ等がオリフィスプレート１０１に形成されたノズル内へと侵入するのを防止している。
【００５０】
傾斜したフィルタ１０５の上端部１０５ａには、フィルタ１０５の端部の表面においてはフィルタに密着するかたちでフィルタ内部気泡除去管１３６が設けられている。フィルタ内部気泡除去管１３６はすべてのフィルタ内部と連通させることで、全てのフィルタ１０５が気泡吸引チューブ１３５に連通しているような構成になっている。気泡吸引チューブ１３５には気泡吸引チューブポンプ１３４が接続されている。
【００５１】
また、インクジェット記録ヘッド１０の両端部には、インク加圧管１０８及びインク除去管１１０が配置されており、それぞれチューブ１３１、１３２が接続されている。なお、インク加圧管１０８にはチューブポンプ１３０が接続されており、インク除去管１１０側には開閉バルブ１１２が設けられている。記録動作が行われているときは、インクジェット記録ヘッド１０内部に配置されている開閉バルブ１１２を開放し、さらにインクジェット記録ヘッド１０内部を大気圧よりも低い負圧状態に保つようにする。インク加圧管１０８に接続されているチューブポンプ１３０は通常は記録中に作動していないが、ヘッドの昇温を押さえるためにインクを循環させることで、冷却を行うときは、記録中にチューブポンプ１３０を回転させる必要もある。
【００５２】
上述の構成の本実施例のフルライン型のインクジェット記録ヘッド１０における気泡の除去方法について説明する。
【００５３】
インクの初期充填時、または連続記録動作時においては、気泡Ｂが共通液室１０９、およびフィルタプレート１０４内部に残留する。
【００５４】
本実施例においては、フィルタ１０５を重力方向に対して傾斜させているので、共通液室１０９内の気泡をフィルタ１０５の一部に集中的に集めることができる。すなわち、残留した気泡Ｂは浮力により、フィルタ面１０５ｂに接触しながら上端部１０５ａにて保持される。
【００５５】
回復動作を行うときは、気泡吸引チューブポンプ１３４を図３の矢印Ａ方向に回転させる。
【００５６】
気泡吸引チューブポンプ１３４が回転を始めると同時に、気泡吸引チューブ１３５の内部が負圧になる。気泡吸引チューブ１３５はフィルタ内部気泡除去管１３６を介してインクジェット記録ヘッド１０の内部のすべてのフィルタ内部と連通している。また、フィルタ内部気泡除去管１３６は、気泡が集中的に集まるフィルタ１０５の上端部１０５ａに密着して配置されている。このため、本実施例のインクジェット記録ヘッド１０は、気泡吸引チューブポンプ１３４の回転により発生した負圧によって上端部１０５ａに集まった各フィルタ内部の気泡を確実に除去することができる。
【００５７】
さらに、連通路がフィルタの一部に付いている構成になっているために、フィルタ面に付着した気泡を記録時のリフィルによって一部に傾斜したフィルタ１０５の上端部１０５ａに収集することができる。さらに負圧発生機構を作動させてフィルタ下部の気泡を吸引回復している時においても、インクがフィルタ部位から供給されるため、吐出ノズルから空気を吸い込むことがない。そのため、記録中においても気泡の回復動作を行うことができる。
【００５８】
また、ノズル内部に溜まった気泡を除去するためには、インク加圧管１０８に接続されているチューブポンプ１３０を図３の矢印Ｃ方向に回転させ、かつインク除去管１１０に設けられている開閉バルブ１１２を閉じてもよい。これにより、インクジェット記録ヘッド１０の内部を正圧にし、インクを吐出口から吐出させるとともにノズル内部気泡も除去することができる。
【００５９】
以上、本実施例によれば、フィルタ１０５は、重力方向に傾斜して設けられているため、初期充填時、連続記録動作時及び回復動作時に、重力方向に対して最も高くなる部位（上端部１０５ａ）を１箇所有することとなる。そして、この部位に気泡を吸引する吸引手段としてのフィルタ内部気泡除去管１３６を設けていることで、確実に気泡を除去することが可能となる。
（第２実施例）
本実施例のインクジェット記録ヘッドの断面概略図を図４に示す。なお、第１実施例と同様の構成については、説明に用いる符号は第１実施例と同じ符号を用いるものとし、また、詳細の説明は省略する。
【００６０】
本実施例では、インクジェット記録ヘッド１０の内部に配置されているフィルタプレート２０４は、並列して配置された共通液室１０９の全てを連通させるように設けられている。そして、このフィルタプレート２０４にフィルタ２０５が重力方向に傾斜して設けられている。第１実施例では個々のオリフィスプレート１０１に対してそれぞれフィルタプレート１０４及びフィルタ１０５が設けられていた例を示した。これに対し、本実施例では、複数のオリフィスプレート１０１の全てを覆うフィルタ２０５を１つだけ設けた構成とした点で異なる。
【００６１】
本実施例も第１実施例と同様に気泡を上端部２０５ａの１箇所に集めることができるので、フィルタ内の気泡を確実に除去できる。
【００６２】
以上、本実施例によれば、フィルタ２０５は、吐出特性を回復するための回復動作時に、重力方向に対して最も高くなる部位（上端部２０５ａ）を１箇所有することとなる。そして、この部位に気泡を吸引する吸引手段としてのフィルタ内部気泡除去管１３６を設けていることで、確実に気泡を除去することが可能となる。
（第３実施例）
本実施例のインクジェット記録ヘッドの断面概略図を図５に示す。なお、第１実施例と同様の構成については、説明に用いる符号は第１実施例と同じ符号を用いるものとし、また、詳細の説明は省略する。
【００６３】
本実施例においては、フィルタプレート３０４に取り付けられたフィルタ３０５が支持基板１０２に対して平行になるように取り付けられている点以外は第１実施例のインクジェット記録ヘッドと同様である。また、フィルタ内部気泡除去管３３６は、フィルタ３０５の一端側に配置されている点では第１実施例と同様である。
【００６４】
本実施例のインクジェット記録ヘッド１０は、気泡を除去する際に、不図示の駆動手段によりヘッド自体を重力方向に対して傾斜させることでフィルタ３０５を重力方向に対して傾斜させるようにしている。つまり、フィルタ内部気泡除去管３３６が配置されている側を重力方向上側となるようにインクジェット記録ヘッド１０を傾斜させることで気泡をフィルタ３０５の一部（フィルタ内部気泡除去管３３６が配置された側）に集める。
【００６５】
このように、本実施例も第１及び第２実施例と同様に気泡をフィルタ３０５の１箇所に集めることができるので、フィルタ内の気泡を確実に除去できる。
【００６６】
以上、本実施例によれば、吐出特性を回復するための回復動作時に、インクジェット記録ヘッド自体を傾斜させることで、フィルタ３０５は重力方向に対して最も高くなる部位を１箇所有することとなる。そして、この部位に気泡を吸引する吸引手段としてのフィルタ内部気泡除去管１３６を設けていることで、確実に気泡を除去することが可能となる。
（第４実施例）
本実施例のインクジェット記録ヘッドの断面概略図を図６に示す。なお、第１実施例と同様の構成については、説明に用いる符号は第１実施例と同じ符号を用いるものとし、また、詳細の説明は省略する。
【００６７】
図６は、本発明を適応した、重力方向に対して垂直の方向（水平方向）にインクを吐出するフルライン型インクジェット記録ヘッドの断面図を示している。
【００６８】
本実施例の場合、フィルタプレート４０４の側面部にインクリフィルフィルタ１０５１が配置されている。インクリフィルフィルタ１０５１は、重力方向と平行に設けられ、気泡除去フィルタ１０５２は、インクリフィルフィルタ１０５１よりも重力方向において上方、かつ重力方向と交差する方向に設けられている。除去管接続治具４３７は気泡除去フィルタ１０５２に密着するように配置されている。また、支持基板１０２内の共通液室４０９は発生した気泡をフィルタプレート４０４の位置まで気泡の浮力により移動できるよう、フィルタプレート４０４に向かって広がるテーパ型としている。
【００６９】
除去管接続治具４３７は気泡吸引チューブ１３５に接続されており、気泡吸引チューブポンプ１３４を図５の矢印方向に作動させることでフィルタプレート４０４内部の気泡Ｂを除去することができる。
【００７０】
なお、図６には、第２実施例で示した構成と同様に複数の共通液室を一つのフィルタで覆う構成を例示したが、本実施例はこれに限定されるものではなく、各共通液室に個別にフィルタが設けられている構成としてもよい。
【００７１】
また、本実施例では水平方向にインクを吐出するフルライン型ジェットヘッド記録装置に関して述べているが、重力方向に対して斜め方向に対して記録を行うような形態においても本発明は適用できる。このような構成にすることで、フィルタプレート内部にたまった気泡を除去する時において、インクがリフィルフィルタ１０５１から供給されるために吐出ノズルから空気を吸い込むことなく、回復できる。
【００７２】
以上、本実施例によれば、吐出特性を回復するための回復動作時に、本実施例のフィルタは、重力方向に対して最も高くなる部位（気泡除去フィルタ１０５２）を１箇所有することとなる。そして、この部位に気泡を吸引する吸引手段としての除去管接続治具４３７を設けていることで、確実に気泡を除去することが可能となる。
【図面の簡単な説明】
【００７３】
【図１】本発明のインクジェット記録ヘッドが適用可能なインクジェットプリンタの概略図である。
【図２】ごみ除却装置を備えたインクジェット記録装置のインク供給系を示す模式図である。
【図３】本発明の第１実施例におけるインクジェット記録ヘッドの断面概略図である。
【図４】本発明の第２実施例におけるインクジェット記録ヘッドの断面概略図である。
【図５】本発明の第３実施例におけるインクジェット記録ヘッドの断面概略図である。
【図６】本発明の第４実施例におけるインクジェット記録ヘッドの断面概略図である。
【図７】従来のフルライン型のインクジェット記録ヘッドの一例の構造示す断面概略図である。
【図８】フルライン型のインクジェット記録ヘッドにおける従来の吸引回復動作を示す図である。
【図９】フルライン型のインクジェット記録ヘッドにおける従来の加圧回復動作を示す図である。
【符号の説明】
【００７４】
１０１    オリフィスプレート
１０５    フィルタ
１０５ａ    上端部
１０７    チップタンク
【図１】
2009051046.tif 000003
【図２】
2009051046.tif 000004
【図３】
2009051046.tif 000005
【図４】
2009051046.tif 000006
【図５】
2009051046.tif 000007
【図６】
2009051046.tif 000008
【図７】
2009051046.tif 000009
【図８】
2009051046.tif 000010
【図９】
2009051046.tif 000011